(57)【要約】【課題】浴室内の黒カビの発生を抑制することができる浴室システムを提供することを目的とする。【解決手段】洗浄水を吐水することで浴室の洗い場床、壁及び浴槽の少なくとも一部を洗浄する洗浄機器と、前記浴室に設けられ、前記浴室を換気する換気機器と、前記洗浄機器と前記換気機器とを連動制御する制御部と、を備え、前記制御部は、前記洗浄機器により、前記洗い場床、前記壁及び前記浴槽の少なくとも一部を洗浄する洗浄モードの実行中に、前記換気機器により、前記浴室を換気する換気モードを実行することを特徴とする浴室システムが提供される。【選択図】図７
2019158218.tif 000002
【特許請求の範囲】
【請求項１】
洗浄水を吐水することで浴室の洗い場床、壁及び浴槽の少なくとも一部を洗浄する洗浄機器と、
前記浴室に設けられ、前記浴室を換気する換気機器と、
前記洗浄機器と前記換気機器とを連動制御する制御部と、
を備え、
前記制御部は、前記洗浄機器により、前記洗い場床、前記壁及び前記浴槽の少なくとも一部を洗浄する洗浄モードの実行中に、前記換気機器により、前記浴室を換気する換気モードを実行することを特徴とする浴室システム。
【請求項２】
前記換気モードは、第１風量で換気を行う第１モードと、前記第１風量よりも大きい第２風量で換気を行う第２モードと、を有し、
前記制御部は、前記洗浄モードの実行中に前記第２モードを実行することを特徴とする請求項１記載の浴室システム。
【請求項３】
前記制御部は、前記洗浄モードが終了してから所定時間経過後に、前記換気モードを停止することを特徴とする請求項１または２に記載の浴室システム。
【請求項４】
前記制御部は、前記洗浄モードの実行前に前記第１モード及び前記第２モードのいずれかを実行していた場合、前記洗浄モードの終了後に前記第１モード及び前記第２モードの前記いずれかを実行することを特徴とする請求項２記載の浴室システム。
【請求項５】
前記換気モードは、第１風量で換気を行う第１モードと、前記第１風量よりも大きい第２風量で換気を行う第２モードと、を有し、
前記制御部は、
前記洗浄モードの開始時に前記換気モードを停止していた場合、前記洗浄モードの実行中に前記第２モードを実行し、
前記洗浄モードの開始時に前記第１モードを実行していた場合、前記洗浄モードの実行中に前記第１モードを実行することを特徴とする請求項１記載の浴室システム。
【請求項６】
前記制御部は、前記洗浄モードの開始と同時に、前記換気モードを実行することを特徴とする請求項１〜５のいずれか１つに記載の浴室システム。
【発明の詳細な説明】
【技術分野】
【０００１】
本発明の態様は、一般的に、浴室システムに関する。
【背景技術】
【０００２】
従来、水を吐出することで浴室内の洗浄を行う装置が知られている。例えば、特許文献１に記載の洗浄システムは、浴槽と洗い場に散水する散水手段と、浴槽と洗い場に洗剤を噴霧する洗剤噴霧手段と、を有する。  
さらに、特許文献１の洗浄システムは、浴室内を換気する換気手段を有する。特許文献１には、換気手段によって洗浄後の浴室内を乾燥させることが記載されている。
【先行技術文献】
【特許文献】
【０００３】
【特許文献１】特開平１０−２１６０６８号公報
【発明の概要】
【発明が解決しようとする課題】
【０００４】
浴室内の洗浄終了後においては、洗浄のために吐出された水によって、浴槽や洗い場床は濡れた状態であり、洗浄の残水が存在する。一般に、洗浄のために吐出された水が蒸発せずに残水として残ると、残水が存在する部分の近傍に黒カビが発生しやすい。そのため、黒カビの発生を抑制するためには、残水が蒸発しやすいことが望ましい。しかしながら、浴室内の洗浄終了後においては、洗浄のために吐出された水によって浴室内の湿度が高くなっているため、残水の蒸発が遅いことがある。そのため、黒カビが発生してしまう恐れがある。
【０００５】
また、特許文献１に記載の洗浄システムのように、散水手段による散水が終了してから換気を行う場合には、浴室内の湿度が換気によって下がり、残水が蒸発しやすくなるまでに長時間を要する恐れがある。その結果、黒カビの発生を効果的に抑制できない恐れがある。
【０００６】
本発明は、かかる課題の認識に基づいてなされたものであり、浴室内の黒カビの発生を抑制することができる浴室システムを提供することを目的とする。
【課題を解決するための手段】
【０００７】
第１の発明は、洗浄水を吐水することで浴室の洗い場床、壁及び浴槽の少なくとも一部を洗浄する洗浄機器と、前記浴室に設けられ、前記浴室を換気する換気機器と、前記洗浄機器と前記換気機器とを連動制御する制御部と、を備え、前記制御部は、前記洗浄機器により、前記洗い場床、前記壁及び前記浴槽の少なくとも一部を洗浄する洗浄モードの実行中に、前記換気機器により、前記浴室を換気する換気モードを実行することを特徴とする浴室システムである。
【０００８】
この浴室システムによれば、洗浄モードの実行中に換気モードが実行されるため、洗浄機器が洗い場床や浴槽を吐水しているときから、浴室内の湿度の上昇を抑えることができ、洗浄機器から吐水された洗浄水の残水を蒸発させやすくすることができる。これにより、浴室内の黒カビの発生を効果的に抑制することができる。
【０００９】
第２の発明は、第１の発明において、前記換気モードは、第１風量で換気を行う第１モードと、前記第１風量よりも大きい第２風量で換気を行う第２モードと、を有し、前記制御部は、前記洗浄モードの実行中に前記第２モードを実行することを特徴とする浴室システムである。
【００１０】
この浴室システムによれば、洗浄モードの実行中に、風量が大きい第２モードを実行することにより、浴室内の湿度の上昇をより抑えることができる。これにより、浴室内の黒カビの発生をより抑制することができる。
【００１１】
第３の発明は、第１または第２の発明において、前記制御部は、前記洗浄モードが終了してから所定時間経過後に、前記換気モードを停止することを特徴とする浴室システムである。
【００１２】
この浴室システムによれば、洗浄モードの終了後、所定時間が経過するまで換気モードが継続されるため、洗浄モードの終了後においても浴室内の湿度の上昇を抑えることができる。これにより、洗浄機器から吐水された洗浄水の残水をより蒸発させやすくすることができる。
【００１３】
第４の発明は、第２の発明において、前記制御部は、前記洗浄モードの実行前に前記第１モード及び前記第２モードのいずれかを実行していた場合、前記洗浄モードの終了後に前記第１モード及び前記第２モードの前記いずれかを実行することを特徴とする浴室システムである。
【００１４】
この浴室システムによれば、洗浄モードの終了後に、制御部によって、洗浄モードが開始される前の換気モードが自動で実行される。これにより、洗浄モード中に換気モードが切り替えられた場合でも、使用者が元の換気モードに戻す必要がなく使い勝手が良い。
【００１５】
第５の発明は、第１の発明において、前記換気モードは、第１風量で換気を行う第１モードと、前記第１風量よりも大きい第２風量で換気を行う第２モードと、を有し、前記制御部は、前記洗浄モードの開始時に前記換気モードを停止していた場合、前記洗浄モードの実行中に前記第２モードを実行し、前記洗浄モードの開始時に前記第１モードを実行していた場合、前記洗浄モードの実行中に前記第１モードを実行することを特徴とする浴室システムである。
【００１６】
この浴室システムによれば、洗浄モード開始時の換気モードの状態に基づいて、洗浄モード中の換気の風量を制御することで、効率的な換気を行うことができる。例えば、洗浄モードの実行中に第１モードを実行することで、第２モードを実行する場合に比べて、消費電力の増加を抑えることができる。また、洗浄モードの実行中に第１モードを実行することで、第２モードを実行する場合に比べて、換気機器の動作音（ファンの動作音）を抑制することができる。
【００１７】
第６の発明は、第１〜第５のいずれか１つの発明において、前記制御部は、前記洗浄モードの開始と同時に、前記換気モードを実行することを特徴とする浴室システムである。
【００１８】
この浴室システムによれば、洗浄モードの開始時から浴室内の換気が行われるため、浴室内の湿度の上昇をより抑えることができる。これにより、浴室内の黒カビの発生をより抑制することができる。
【発明の効果】
【００１９】
本発明の態様によれば、浴室内の黒カビの発生を抑制することができる浴室システムが提供される。
【図面の簡単な説明】
【００２０】
【図１】実施形態に係る浴室システムを有する浴室を例示する斜視図である。
【図２】実施形態に係る浴室システムを例示するブロック図である。
【図３】実施形態に係る浴室システムの洗浄機器を例示する模式図である。
【図４】実施形態に係る浴室システムの換気機器の要部構成を例示する模式図である。
【図５】実施形態に係る浴室システムの換気機器を例示する断面図である。
【図６】実施形態に係る浴室システムの操作部を例示する斜視図である。
【図７】図７（ａ）〜図７（ｃ）は、実施形態に係る浴室システムの動作を例示するタイミングチャートである。
【図８】図８（ａ）〜図８（ｄ）は、実施形態に係る浴室システムの動作を例示するタイミングチャートである。
【図９】浴室内の湿度を例示するグラフ図である。
【図１０】図１０（ａ）〜図１０（ｃ）は、実施形態に係る浴室システムの動作を例示するタイミングチャートである。
【図１１】実施形態に係る浴室システムの動作を例示するフローチャートである。
【図１２】図１２（ａ）〜図１２（ｄ）は、実施形態に係る浴室システムの動作を例示するタイミングチャートである。
【図１３】実施形態に係る浴室システムの動作を例示するフローチャートである。
【図１４】実施形態に係る浴室システムの洗浄機器を例示する模式図である。
【発明を実施するための形態】
【００２１】
以下、本発明の実施の形態について図面を参照しつつ説明する。なお、各図面中、同様の構成要素には同一の符号を付して詳細な説明は適宜省略する。  
図１は、実施形態に係る浴室システムを有する浴室を例示する斜視図である。  
図１は、実施形態に係る浴室システム１００（図２を参照）が設置される浴室の一例を示している。  
図１に示すように、浴室５００は、概ね直方体の４つの側面に相当する配置の第１壁５４１、第２壁５４２、第３壁５４３、第４壁５４４を有する。第２壁５４２は、第１壁５４１と対向しており、第４壁５４４は、第３壁５４３と対向している。第１壁５４１と第２壁５４２とは、それぞれ、第３壁５４３及び第４壁５４４と接続されている。
【００２２】
説明の便宜上、本明細書において、第２壁５４２（図１の奥側の壁）から第１壁５４１（図１の手前側の壁）へ向かう方向を「前方」とし、これと反対の方向を「後方」とする。また、前後方向および上下方向に対して垂直な方向を横方向とする。
【００２３】
第４壁５４４の側に浴槽５１０が設けられており、当該浴槽５１０と第３壁５４３との間に洗い場床５２０（浴室洗い場床）が設けられている。すなわち、浴槽５１０と洗い場床５２０とは、共に前後方向に延びて、横方向に並んでいる。洗い場床５２０は、第３壁５４３に加えて、第１壁５４１の一部及び第２壁５４２の一部にも接している。
【００２４】
洗い場床５２０には、排水口５２１が設けられている。排水口５２１は、洗い場床５２０の前後方向における中央付近であって、洗い場床５２０の横方向における浴槽５１０側の端に設けられている。洗い場床５２０には、排水口５２１へ向かう緩やかな（例えば１〜５°程度の）排水勾配（傾斜）が設けられている。また、洗い場床５２０の表面は、親水コーティングされている。
【００２５】
そして、洗い場床５２０が接している第２壁５４２の一部に（浴室５００の後方側に）、カウンタ５３０が設けられている。浴室５００の第２壁５４２には、鏡、給水栓、シャワーホースなどが適宜設けられている。
【００２６】
図２は、実施形態に係る浴室システムを例示するブロック図である。  
図２に示すように、浴室システム１００は、洗浄機器２００と、換気機器３００と、制御部３０と、操作部３５と、を有する。
【００２７】
洗浄機器２００は、浴室５００内に設けられる。洗浄機器２００は、例えば、洗浄水を吐水する吐水口や、給水源（水道管など）から吐水口へ洗浄水を導く流路を開閉する電磁弁などを有する。洗浄機器２００は、給水源から供給された洗浄水を、浴室５００の洗い場床５２０、壁（第１〜第４壁５４１〜５４４）及び浴槽５１０の少なくとも一部に吐水する。これにより、洗浄機器２００は、洗い場床５２０、壁及び浴槽５１０の少なくとも一部を洗浄する。なお、図１に示した例では、洗浄機器２００は、カウンタ５３０に設けられ、洗い場床５２０を洗浄する洗浄機器２００ａ（床洗浄装置）である。
【００２８】
換気機器３００は、浴室５００に設けられ、浴室を換気するための換気手段（ファン）を有する。例えば、換気機器３００は、さらにヒータを有していてもよい。換気機器３００は、例えば、浴室内の換気や暖房、乾燥を行うことができる。
【００２９】
制御部３０は、例えばマイコンなどを有する電気回路である。制御部３０は、洗浄機器２００及び換気機器３００のそれぞれと接続されている。制御部３０と洗浄機器２００との接続、制御部３０と換気機器３００との接続は、有線接続であっても無線接続であってもよい。洗浄機器２００及び換気機器３００のそれぞれは、制御部３０から送信された信号（指令）に基づいて動作する。図１に示した例では、制御部３０は、浴室５００の天井５４５に設置されている。ただし、制御部３０の配置は任意である。また、制御部３０は、複数の基板などに適宜分割されて配置されてもよい。例えば、制御部３０の一部が洗浄機器２００に配置されたり、換気機器３００に配置されたりしてもよい。
【００３０】
制御部３０は、洗浄機器２００及び換気機器３００の一方の動作に、他方の動作を連動させる連動制御を行う。すなわち、制御部３０は、洗浄機器２００及び換気機器３００の一方の動作状態に基づいて、他方の動作を制御する。この連動制御の詳細については、後述する。
【００３１】
また、浴室システム１００は、使用者が洗浄機器２００及び換気機器３００の動作を操作するための操作部３５（リモコン）を有する。操作部３５は、浴室５００内、又は浴室５００外（例えば浴室５００に隣接する脱衣所など）に設けられる。操作部３５は、制御部３０と有線又は無線により接続されている。使用者は、操作部３５に設けられたボタン（スイッチ）を操作することにより、洗浄機器２００及び換気機器３００の動作を開始／停止させたり、動作の設定を変更したりすることができる。具体的には、使用者が操作部３５を操作すると、その操作に応じた信号が制御部３０に送信される。制御部３０は、操作部３５からの信号に基づいて、洗浄機器２００及び換気機器３００のそれぞれに信号（指令）を送信する。
【００３２】
図３を参照して、洗浄機器２００の一例（洗浄機器２００ａ）について説明する。  
図３は、実施形態に係る浴室システムの洗浄機器を例示する模式図である。  
図３は、浴室５００のカウンタ５３０の近傍を側方から見た様子を示している。  
洗浄機器２００ａは、カウンタ５３０の下部に突出するノズル部１０ａを有する。ノズル部１０ａは、カウンタ５３０の下部に、洗い場床５２０から離間した位置に配置されている。例えば、ノズル部１０ａは、洗い場床５２０の横方向における中央付近に設置されている。
【００３３】
浴室５００の外部（例えば第２壁５４２の後方）には、給水管５１が設けられている。給水管５１は、図示しない水道管と接続されている。これにより、給水管５１から水道水が洗浄機器２００ａに供給される。
【００３４】
カウンタ５３０の内部（天板５３１と下カバー５３２との間）には、第１ストレーナ５３ａと、第１電磁弁５４ａと、第２電磁弁５４ｂと、調圧弁５５と、バキュームブレーカ５７と、逆止弁５６と、機能水生成部２０と、第２ストレーナ５３ｂと、電動モータ１７と、が設けられている。第１ストレーナ５３ａは、給水管５１と接続されており、第１ストレーナ５３ａの下流において、水道水の流路は２つに分岐している。
【００３５】
第１ストレーナ５３ａの下流側の一方の流路は、第１電磁弁５４ａを介して、水道水（洗浄水の一例である）を直接的にノズル部１０ａに供給する。第１電磁弁５４ａを開くことで、水道水がノズル部１０ａに供給される。
【００３６】
第１ストレーナ５３ａの下流側の他方の流路には、上流側から順に、第２電磁弁５４ｂ、調圧弁５５、バキュームブレーカ５７、逆止弁５６、機能水生成部２０、第２ストレーナ５３ｂが接続されており、機能水（洗浄水の一例である）をノズル部１０ａに供給する。
【００３７】
第１電磁弁５４ａ及び第２電磁弁５４ｂは、それぞれ、水道水の流路を開く動作、及び、水道水の流路を閉じる動作、を行う。調圧弁５５は、供給される水道水の圧力を制御する。これにより、後述する機能水生成部２０に供給される水道水の流量を所望に調整することができる。機能水生成部２０に供給される水道水の流量を調整することで、ノズル部１０ａに供給される機能水の流量が調整される。第２電磁弁５４ｂを用いて水道水の流量を調整してもよい。
【００３８】
機能水は、例えば除菌（又は殺菌）の機能を有する除菌水である。機能水は、例えば、次亜塩素酸を含む。この例では、機能水生成部２０は、陽極と陰極とを有する電解室（電解槽）である。機能水生成部２０は、陽極と陰極との間に電圧を印加して、それら電極の間を流れる水道水を電気分解することで、低濃度の次亜塩素酸を生成する。水道水は、塩化物イオンを含んでいるため、その塩化物イオンを電気分解することによって、次亜塩素酸が生成される。
【００３９】
なお、機能水は、次亜塩素酸を含むものには限定されない。例えば、機能水は、銀イオン銅イオン、または亜鉛イオンなどの金属イオンを含む溶液、電解塩素やオゾンなどを含む溶液、酸性水、または、アルカリ水などでもよい。機能水生成部２０は電解槽に限らず、除菌水を生成可能な任意の構成でよい。
【００４０】
ストレーナ５３ａ、５３ｂ、電磁弁５４ａ、５４ｂ、調圧弁５５、バキュームブレーカ５７、逆止弁５６、機能水生成部２０及び電動モータ１７の少なくとも一部が、カウンタ５３０の外部や浴室５００の外部に設けられることも可能である。
【００４１】
第１電磁弁５４ａ、第２電磁弁５４ｂ、調圧弁５５、及び機能水生成部２０は、制御部３０によって適宜に制御される。これにより、ノズル部１０ａからの水道水の散水と、ノズル部１０ａからの機能水の散水と、を互いに独立に制御できる。
【００４２】
具体的には、第１電磁弁５４ａ及び第２電磁弁５４ｂは、制御部３０からの信号に基づいて、水道水の流路の開閉を行う。これにより、下流側に供給される水道水の流量が制御される。また、機能水生成部２０は、制御部３０からの信号に基づいて、電解室のＯＮ／ＯＦＦ等を切り替える。このようにして制御部３０は、機能水における各種構成成分の濃度、吐水される洗浄水の流量（単位時間当たりの流量）、吐水される洗浄水の総水量、を制御することができる。
【００４３】
また、ノズル部１０ａには、吐水口１２（開口）が設けられている。ノズル部１０ａは、上流から供給された洗浄水（水道水や機能水）を、水圧によって吐水口１２から浴室５００の洗い場床５２０上へ吐水する。これにより、洗い場床５２０上の汚れ（例えば、人体からの皮脂、垢、髪の毛など）を排水口５２１へ洗い流したり、洗い場床５２０上を除菌することができる。ノズル部１０ａから吐水される洗浄水は、例えば霧状である。
【００４４】
ノズル部１０ａの位置姿勢は、洗浄水が吐水される洗い場床５２０上の領域を変えるよう、変動することができる。具体的には、ノズル部１０ａは、電動モータ１７によって回転駆動される。電動モータ１７は、例えばステッピングモータからなる。
【００４５】
電動モータ１７は、制御部３０によって制御される。制御部３０からの信号に基づいて電動モータ１７が制御されることにより、ノズル部１０ａ回転角度や回転速度が変化する。
【００４６】
図４及び図５を参照して、換気機器３００の一例について説明する。  
図４は、実施形態に係る浴室システムの換気機器の要部構成を例示する模式図である。図４では、風路系統と電気系統とを併せて表している。  
図５は、実施形態に係る浴室システムの換気機器を例示する断面図である。
【００４７】
図４に表したように、換気機器３００は、風路３１６と、加熱手段３１８（加熱部、ヒータ）と、ファン３２２と、を有する。風路３１６は、吸込口３１２と、吹出口３１４と、を有する。
【００４８】
この例では、換気機器３００は、ビルトイン（天井埋め込み）タイプである。すなわち、図５に表したように、天井５４５に設置された状態において、換気機器３００の上部は、天井５４５よりも上方に位置し、浴室５００の外部に配置される。換気機器３００の下部は、天井５４５よりも下方に位置し、浴室５００の内部に配置される。
【００４９】
図４に表した風路３１６は、換気機器３００の筐体３１１の内部に設けられた空気の通路である。風路３１６は、吸込口３１２及び吹出口３１４を繋ぐ。吸込口３１２及び吹出口３１４は、それぞれ浴室５００へ通じている。これにより、風路３１６は、吸込口３１２及び吹出口３１４を介して、浴室５００の内部と通じている。
【００５０】
ファン３２２は、風路３１６の内部に設けられる。ファン３２２は、例えばモータを含む。ファン３２２（モータ）が通電されることによって、モータが回転し、ファン３２２が駆動される。これにより、ファン３２２は、風路３１６内に空気の流れを発生させる。
【００５１】
図４及び図５に表した矢印Ａ１のように、ファン３２２の動作に応じて、吸込口３１２は、浴室内の空気を吸い込む。吸い込まれた空気は、風路３１６を通り、ファン３２２によって吹出口３１４へ導かれる。図４及び図５に表した矢印Ａ２のように、吹出口３１４は、吸込口３１２によって吸い込まれた空気を浴室５００内へと吹き出す。
【００５２】
加熱手段３１８は、風路３１６の内部に設けられる。図２の例では、加熱手段３１８は、風路３１６上において、ファン３２２と吹出口３１４との間に位置する。加熱手段３１８は、例えば、電気ヒータであり、通電によって発熱する発熱体を有する。加熱手段３１８は、熱を発して空気を暖めることができる任意の構成でよい。
【００５３】
加熱手段３１８が通電されることによって、加熱手段３１８は、風路３１６内の空気を加熱する。すなわち、加熱手段３１８は、吸込口３１２によって吸い込まれた空気を加熱する。これにより、加熱された空気を吹出口３１４から吹き出すことができる。
【００５４】
また、図５に表したように、換気機器３００には、さらに吸込口３３２及び排出口３３４を有する。これにより、矢印Ａ３のように、外気（例えば、浴室５００と隣接して設けられた脱衣室の空気）が吸込口３３２から吸い込まれる。また、ダンパ３３６の位置を調整することで、矢印Ａ４のように、吸い込まれた空気が排出口３３４から浴室外へ排出される。
【００５５】
制御部３０は、ファン３２２、加熱手段３１８及びダンパ３３６に接続されている。制御部３０は、ファン３２２の動作（通電）、加熱手段３１８の動作（通電）、及びダンパ３３６の動作を制御する。これにより、換気機器３００は、浴室５００の内部の空気を換気する「換気運転」、浴室５００の内部の空気を暖める「暖房運転」や、浴室５００の内部に温風を送って浴室５００や浴室５００内の衣類を乾燥させる「乾燥運転」を実行することができる。
【００５６】
換気運転においては、制御部３０は、ダンパ３３６によって吹出口３１４を閉じ、排出口３３４を開く。この状態で、制御部３０は、ファン３２２を作動させる。このとき、加熱手段３１８は作動させない（ヒータは非通電とする）。ファン３２２によって浴室５００内から吸引された空気は、排出口３３４から屋外等へ排出される。これにより、浴室５００内の空気の入れ替え（換気）を行うことができる。
【００５７】
暖房運転においては、制御部３０は、ダンパ３３６によって排出口３３４を閉じ、吹出口３１４を開く。この状態で、制御部３０は、ファン３２２を作動させ、加熱手段３１８を作動させる（ヒータを通電する）。ファン３２２によって浴室５００内から吸引された空気は、加熱手段３１８によって加熱された後、吹出口３１４から浴室５００内へ吹き出される。これにより、浴室５００内の空気は、循環しながら加熱手段３１８によって加熱されるため、浴室５００内の温度が上昇する。
【００５８】
乾燥運転においては、制御部３０は、ダンパ３３６によって吹出口３１４と排出口３３４の双方を開く。この状態で、制御部３０は、ファン３２２を作動させ、加熱手段３１８を作動させる。ファン３２２によって浴室５００内から吸引された空気の一部は、排出口３３４から屋外等へ排出される。吸引された空気の残りの一部は、加熱手段３１８によって加熱された後、吹出口３１４から浴室５００内へ吹き出され、浴室５００内を循環する。
【００５９】
なお、実施形態において、換気機器３００は、加熱手段３１８（ヒータ）を有していなくてもよく、暖房運転及び乾燥運転を実行しなくてもよい。換気機器３００は、浴室５００内の空気を入れ替えることができる任意の構成の換気手段を有していればよい。
【００６０】
図６は、実施形態に係る浴室システムの操作部を例示する斜視図である。  
操作部３５（リモコン）は、第１換気スイッチ３５ａ、第２換気スイッチ３５ｂ、掃除連動スイッチ３５ｃ、浴槽洗浄スイッチ３５ｄ、及び床洗浄スイッチ３５ｅなどの複数のスイッチ（ボタン）を有する。
【００６１】
制御部３０は、換気機器３００により、浴室５００を換気する換気モードを有する。使用者が、第１換気スイッチ３５ａ及び第２換気スイッチ３５ｂのいずれかを操作すると、制御部３０は、その操作に応じた信号を受信し、換気モードを実行する。換気モードにおいて、制御部３０は、換気機器３００の換気手段（ファン３２２）を作動させ、換気機器３００に上述の換気運転を実行させる。
【００６２】
また、換気モードは、第１風量で換気を行う第１モードと、第２風量で換気を行う第２モードと、を有する。第２風量は、第１風量よりも大きい。例えば、第１モードは、換気機器３００に弱換気（又は２４時間換気）を実行させる動作モードであり、第２モードは、換気機器３００に強換気を実行させる動作モードである。
【００６３】
使用者が、第１換気スイッチ３５ａ（２４時間換気スイッチ）を操作すると、制御部３０は、その操作に応じた信号を受信し、第１モードを実行する。第１モードにおいて、制御部３０は、ファン３２２を第１電力で作動させ、換気機器３００に換気運転を実行させる。同様に、使用者が、第２換気スイッチ３５ｂ（強換気スイッチ）を操作すると、制御部３０は、その操作に応じた信号を受信し、第２モードを実行する。第２モードにおいて、制御部３０は、ファン３２２を第２電力で作動させ、換気機器３００に換気運転を実行させる。
【００６４】
第２モードにおけるファン３２２の第２電力（ワット）は、第１モードにおけるファン３２２の第１電力（ワット）よりも大きい。したがって、第２モードにおいては、第１モードに比べて、ファン３２２のモータの回転速度が高い。これにより、第２モードの第２風量は、第１モードの第１風量よりも大きくなっている。
【００６５】
また、制御部３０は、洗浄機器２００により、洗い場床５２０、壁（第１〜第４壁５４１〜５４４）及び浴槽５１０の少なくとも一部を洗浄する洗浄モードを有する。使用者が、掃除連動スイッチ３５ｃ、浴槽洗浄スイッチ３５ｄ、及び床洗浄スイッチ３５ｅのいずれかを操作すると、制御部３０は、その操作に応じた信号を受信し、洗浄モードを実行する。洗浄モードにおいて、制御部３０は、洗浄機器２００を制御して、洗浄機器２００に浴室の洗浄動作（浴室への吐水動作）を実行させる。
【００６６】
洗浄モードには、例えば、床洗浄モードと、浴槽洗浄モードと、掃除連動モードがある。例えば、使用者が床洗浄スイッチ３５ｅを操作すると、制御部３０は、床洗浄モードを実行する。これにより、制御部３０から洗浄機器２００ａ（床洗浄装置）に信号が送られ、洗い場床５２０の洗浄が開始される。また、使用者が浴槽洗浄スイッチ３５ｄを操作すると、制御部３０は、浴槽洗浄モードを実行する。これにより、制御部３０から、後述する洗浄機器２００ｂ（浴槽洗浄装置）に信号が送られ、浴槽５１０の洗浄が開始される。また、使用者が掃除連動スイッチ３５ｃを操作すると、掃除連動モードが実行される。これにより、制御部３０から洗浄機器２００ａ及び洗浄機器２００ｂに信号が送られ、洗浄機器２００ａ（床洗浄装置）の洗浄動作と、洗浄機器２００ｂ（浴槽洗浄装置）の洗浄動作と、が互いに連動しながら同時に行われる。これにより、浴室５００の掃除に要する時間を短縮したり、使用者が操作部３５を操作する手間を省くことができる。なお、実施形態においては、洗浄機器は、１つであってもよい。
【００６７】
次に、制御部３０による、洗浄機器２００と換気機器３００との連動制御について説明する。  
この連動制御において、制御部３０は、洗浄モードの実行中に、換気モードを実行する。この例について、以下、図を参照して説明する。
【００６８】
図７（ａ）〜図７（ｃ）は、実施形態に係る浴室システムの動作を例示するタイミングチャートである。  
タイミングチャートにおいて、横軸は、時間（ｔ）である。図７（ａ）は、使用者が操作部３５の掃除スイッチ（掃除連動スイッチ３５ｃ、浴槽洗浄スイッチ３５ｄ、床洗浄スイッチ３５ｅのいずれか）を操作したタイミングを表す。図７（ｂ）は、洗浄モードの実行（ＯＮ）と停止（ＯＦＦ）のタイミングを表す。図７（ｃ）は、換気モードの実行（ＯＮ）と停止（ＯＦＦ）のタイミングを表す。
【００６９】
なお、洗浄モードがＯＮのときは、床洗浄モード、浴槽洗浄モード、及び掃除連動モードの少なくともいずれかが実行されている。洗浄モードがＯＦＦのときは、床洗浄モード、浴槽洗浄モード、及び掃除連動モードのいずれも実行されていない。つまり、洗浄モードがＯＦＦのときは、浴室５００の洗浄（浴室５００内への吐水）が行われていない。また、換気モードがＯＮのときは、第１モード及び第２モードのいずれかが実行されている。換気モードがＯＦＦのときは、第１モード及び第２モードのいずれも実行されていない。つまり、換気モードがＯＦＦのときは、浴室５００の換気が行われていない。
【００７０】
図７（ａ）に示すように、時刻Ｔ１において、使用者が操作部３５の掃除スイッチを操作する。すると、図７（ｂ）に示すように、時刻Ｔ１において、制御部３０は、洗浄モードを開始する。洗浄モードは、時刻Ｔ１の後の時刻Ｔ３に終了する。すなわち、時刻Ｔ１〜時刻Ｔ３の間に、洗浄機器２００の洗浄動作が実行され、洗浄機器２００から浴室５００内に洗浄水が吐水される。そして、図７（ｃ）に示すように、制御部３０は、洗浄モードの実行中、すなわち時刻Ｔ１〜時刻Ｔ３の間において、換気モードを実行する。この例では、換気モードは、時刻Ｔ１の後の時刻Ｔ２において開始され、時刻Ｔ３において終了する。
【００７１】
このように、実施形態においては、洗浄モードの実行中に換気モードが実行される。つまり、洗浄機器２００が洗い場床５２０や浴槽５１０に吐水している最中に、換気機器３００の換気運転が実行される。これにより、洗浄機器２００が吐水を行っているときから、浴室５００内の湿度の上昇を抑えることができる。したがって、洗浄機器２００から吐水された洗浄水の残水を蒸発させやすくすることができる。これにより、浴室５００内の黒カビの発生を効果的に抑制することができる。
【００７２】
なお、換気モードの開始は、洗浄モードの開始と同時（時刻Ｔ１）であってもよい。これにより、洗浄モードの開始時から浴室５００内の換気が行われるため、浴室内の湿度の上昇をより抑えることができる。また、換気モードの終了は、洗浄モードの終了（時刻Ｔ３）よりも前であってもよいし、洗浄モードの終了よりも後であってもよい。
【００７３】
図８（ａ）〜図８（ｄ）は、実施形態に係る浴室システムの動作を例示するタイミングチャートである。  
図８（ａ）は、使用者が操作部３５の掃除スイッチを操作したタイミングを表す。図８（ｂ）は、洗浄モードの実行（ＯＮ）と停止（ＯＦＦ）のタイミングを表す。図８（ｃ）は、第１モードの実行（ＯＮ）と停止（ＯＦＦ）のタイミングを表す。図８（ｄ）は、第２モードの実行（ＯＮ）と停止（ＯＦＦ）のタイミングを表す。
【００７４】
図８（ａ）に示すように、時刻Ｔ４において、使用者が操作部３５の掃除スイッチを操作する。すると、図８（ｂ）に示すように、時刻Ｔ４において、制御部３０は、洗浄モードを開始する。洗浄モードは、時刻Ｔ４の後の時刻Ｔ６に終了する。すなわち、時刻Ｔ４〜時刻Ｔ６の間に、洗浄機器２００の洗浄動作が実行され、洗浄機器２００から浴室５００内に洗浄水が吐水される。
【００７５】
この例では、図８（ｃ）及び図８（ｄ）に示すように、洗浄モードの開始（時刻Ｔ４）の前においては、第１モード（弱換気）が実行されており、第２モード（強換気）は実行されていない。そして、制御部３０は、洗浄モードの実行中、すなわち時刻Ｔ４〜時刻Ｔ６の間において、第２モードを実行する。この例では、換気モードは、時刻Ｔ４の後の時刻Ｔ５において、第１モードから第２モードに切り替えられ、時刻Ｔ６において終了する。時刻Ｔ６において終了する。
【００７６】
図９は、浴室内の湿度を例示するグラフ図である。  
図９は、図８（ａ）及び図８（ｂ）に示したように、時刻Ｔ４において洗浄モードが開始し、時刻Ｔ６において洗浄モードが終了した場合の浴室内の湿度の例を示す。  
湿度Ｈ１は、図８（ｃ）及び図８（ｄ）に関して説明したように、時刻Ｔ５において、換気モードが第１モードから第２モードに切り替えられた場合の、浴室内の湿度の変化を示す。  
湿度Ｈ２は、時刻Ｔ５において、換気モードが切り替えられず、時刻Ｔ４から時刻Ｔ６まで第１モードが継続された場合の、浴室内の湿度の変化を示す。  
湿度Ｈ３は、時刻Ｔ５において、換気モードが停止された場合の、浴室の湿度の変化を示す。すなわち、湿度Ｈ３においては、時刻Ｔ４から時刻Ｔ５まで第１モードが実行され、時刻Ｔ５以降は、換気が行われていない。
【００７７】
図９に示すように、洗浄モードが実行中である時刻Ｔ５以降において、湿度Ｈ１は、湿度Ｈ２よりも低く、湿度Ｈ３よりも低い。このように、洗浄モードの実行中に、風量が大きい第２モードを実行することにより、浴室５００内の湿度の上昇をより抑えることができ、洗浄水の残水をより蒸発させやすくすることができる。これにより、浴室５００内の黒カビの発生をより抑制することができる。
【００７８】
なお、図８の例において、第１モードから第２モードへの切り替えは、洗浄モードの開始と同時（時刻Ｔ４）に行われてもよい。これにより、洗浄モードの開始時から、風量の大きい第２モードで換気が行われるため、浴室内の湿度の上昇をより抑えることができる。
【００７９】
図１０（ａ）〜図１０（ｃ）は、実施形態に係る浴室システムの動作を例示するタイミングチャートである。  
図１０（ａ）は、使用者が操作部３５の掃除スイッチを操作したタイミングを表す。図１０（ｂ）は、洗浄モードの実行（ＯＮ）と停止（ＯＦＦ）のタイミングを表す。図１０（ｃ）は、換気モードの実行（ＯＮ）と停止（ＯＦＦ）のタイミングを表す。
【００８０】
図１０（ａ）に示すように、時刻Ｔ７において、使用者が操作部３５の掃除スイッチを操作する。すると、図１０（ｂ）に示すように、時刻Ｔ７において、制御部３０は、洗浄モードを開始する。洗浄モードは、時刻Ｔ７の後の時刻Ｔ９に終了する。そして、図１０（ｃ）に示すように、制御部３０は、洗浄モードの実行中、すなわち時刻Ｔ７〜時刻Ｔ９の間において、換気モードを実行する。
【００８１】
この例では、換気モードは、時刻Ｔ７の後の時刻Ｔ８において開始される。また、換気モードは、洗浄モードが終了する時刻Ｔ９の後の時刻Ｔ１０において終了する。すなわち、制御部３０は、洗浄モードが終了してから所定時間Ｐ１経過後に、換気モードを停止する。これにより、洗浄モードの終了後、所定時間が経過するまで換気モードが継続されるため、洗浄モードの終了後においても浴室５００内の湿度の上昇を抑えることができる。これにより、洗浄機器２００から吐水された洗浄水の残水をより蒸発させやすくすることができ、黒カビの発生をより抑制することができる。
【００８２】
なお、所定時間Ｐ１は、任意であるが、例えば、換気モードによって浴室５００内の湿度が下がる速さや、浴室５００内に吐水された洗浄水が排水される速さに応じて適宜定めることができる。所定時間Ｐ１は、例えば１０〜２０分間程度である。
【００８３】
図１１は、実施形態に係る浴室システムの動作を例示するフローチャートである。  
使用者が操作部３５の掃除スイッチを押すと、制御部３０は洗浄モードを実行する（ステップＳ１０１）。これにより、洗浄機器２００は、浴室５００内の洗浄を開始する。
【００８４】
また、掃除スイッチが押されたとき（洗浄モードが開始されたとき）に、換気モードが実行されていた場合、制御部３０は、その換気モードを記憶する（ステップＳ１０２）。より具体的には、制御部３０は、掃除スイッチが押されたときに、換気モードが実行されていたか否か、及び、換気モードが実行されていた場合、第１モード及び第２モードのいずれが実行されていたかを記憶する。  
なお、掃除スイッチが押されたとき（洗浄モードが開始されたとき）に、換気モードが実行されていなかった場合、洗浄モード中に第１モードまたは第２モードの何れかが実行されるようにしてもよい。 
【００８５】
その後、洗浄モードにより、浴室５００内の洗浄が実行される（ステップＳ１０３）。洗浄モードの実行中において、制御部３０は、ステップＳ１０２において記憶した換気モードが第２モードであった場合（ステップＳ１０４：ＹＥＳ）、第２換気モードを継続する（ステップＳ１０５）。一方、洗浄モードの実行中において、制御部３０は、ステップ１０２において記憶した換気モードが第２モードモードでなかった場合（ステップＳ１０４：ＮＯ）、第２モードに移行する（ステップＳ１０６）。
【００８６】
洗浄モードの開始から第１所定時間が経過すると（ステップＳ１０７：ＹＥＳ）、洗浄モードが終了する（ステップＳ１０８）。
【００８７】
洗浄モードが終了してから第２所定時間が経過すると（ステップＳ１０９：ＹＥＳ）、制御部３０は、ステップＳ１０２において記憶した換気モードに移行する（ステップＳ１１０）。すなわち、掃除スイッチが押されたときに、第２モードが実行されていた場合、制御部３０は、ステップＳ１１０において第２モードを継続する。掃除スイッチが押されたときに、第１モードが実行されていた場合、制御部３０は、ステップＳ１１０において第２モードから第１モードへ移行する。
【００８８】
なお、ステップＳ１０９の第２所定時間は、図１０に関して説明した所定時間Ｐ１と同様に、適宜、任意に定められる。また、第２所定時間はゼロであってもよく、制御部３０は、洗浄モードの終了と同時に、記憶した換気モードに移行してもよい。
【００８９】
図１２（ａ）〜図１２（ｄ）は、実施形態に係る浴室システムの動作を例示するタイミングチャートである。これらの図は、図１１に関して説明した動作の一例を表す。  
図１２（ａ）は、使用者が操作部３５の掃除スイッチを操作したタイミングを表す。図１２（ｂ）は、洗浄モードの実行（ＯＮ）と停止（ＯＦＦ）のタイミングを表す。図１２（ｃ）は、第１モードの実行（ＯＮ）と停止（ＯＦＦ）のタイミングを表す。図１２（ｄ）は、第２モードの実行（ＯＮ）と停止（ＯＦＦ）のタイミングを表す。
【００９０】
図１２（ａ）に示すように、時刻Ｔ１１において、使用者が操作部３５の掃除スイッチを操作する。すると、図１２（ｂ）に示すように、時刻Ｔ１１において、制御部３０は、洗浄モードを開始する。洗浄モードは、時刻Ｔ１１の後の時刻Ｔ１４に終了する。
【００９１】
この例では、図１２（ｃ）及び図１２（ｄ）に示すように、洗浄モードの開始の前、および時刻Ｔ１１においては、第１モードが実行されている。そのため、制御部３０は、ステップＳ１０２に関して説明したように、第１モードが実行されていたことを記憶する。そして、制御部３０は、洗浄モードの実行中に第２モードを実行する。この例では、換気モードは、時刻Ｔ１１の後の時刻Ｔ１３において第１モードから第２モードに切り替えられる。
【００９２】
その後、時刻Ｔ１４において洗浄モードが終了すると、ステップＳ１１０に関して説明したように、制御部３０は、記憶した換気モードに移行する。すなわち、図１２（ｃ）及び図１２（ｄ）に示すように、時刻Ｔ１４において、換気モードは、第２モードから第１モードへ切り替えられる。
【００９３】
このように、図１１及び図１２に関して説明した例において、制御部３０は、洗浄モードの実行前に第１モード及び第２モードのいずれかを実行していた場合、洗浄モードの終了後に、洗浄モードの実行前に実行していた方のモードを実行する。  
つまり、洗浄モードが開始される前の換気モードが、洗浄モードの終了後に、制御部３０によって自動で実行される。これにより、洗浄モード中に換気モードが切り替えられた場合であっても、使用者が元の換気モードに戻す必要が無く使い勝手が良い。
【００９４】
図１３は、実施形態に係る浴室システムの動作を例示するフローチャートである。  
ステップＳ２０１〜Ｓ２０３は、図１１に関して説明したステップＳ１０１〜Ｓ１０３と同様である。
【００９５】
その後、洗浄モードの実行中において、制御部３０は、ステップＳ２０２において換気モードが実行中であることを記憶していた場合（ステップＳ２０４：ＹＥＳ）、その換気モードの実行を維持する（ステップＳ２０５）。すなわち、洗浄モードが開始されたときに、第１モードが実行中であった場合は、第１モードの実行を維持し、第２モードが実行中であった場合は、第２モードの実行を維持する。一方、洗浄モードの実行中において、制御部３０は、ステップＳ２０２において換気モードが実行されていないことを記憶していた場合（ステップＳ２０４：Ｎｏ）、第２モードを実行する。すなわち、洗浄モードが開始されたときに、第１モード及び第２モードのいずれも実行されていない場合は、第２モードを実行する。
【００９６】
その後のステップＳ２０７〜Ｓ２１０は、図１１に関して説明したステップＳ１０７〜Ｓ１１０と同様である。
【００９７】
このように、制御部３０は、洗浄モードの開始時に換気モードを停止していた場合、洗浄モードの実行中に第２モードを実行する。つまり、洗浄モードの開始時に換気が行われていなかった場合は、洗浄モードの開始時に浴室５００内の湿度が比較的高いと考えられるため、風量の大きい第２モードが実行される。
【００９８】
一方、制御部３０は、洗浄モードの開始時に第１モードを実行していた場合、洗浄モードの実行中に第１モードを実行する。つまり、洗浄モードの開始時に第１モードで換気が行われていた場合は、洗浄モードの開始時に浴室５００内の湿度が比較的低いと考えられるため、風量の小さい第１モードが継続される。
【００９９】
このように洗浄モード開始時の換気モードの状態に基づいて、洗浄モード中の換気の風量を制御することで、効率的な換気を行うことができる。例えば、洗浄モードの実行中に第１モードを実行することで、第２モードを実行する場合に比べて、消費電力の増加を抑えることができる。また、洗浄モードの実行中に第１モードを実行することで、第２モードを実行する場合に比べて、換気機器３００の動作音（ファンの動作音）を抑制することができる。
【０１００】
図１４を参照して、洗浄機器２００の別の例（洗浄機器２００ｂ）について説明する。  図１４は、実施形態に係る浴室システムの洗浄機器を例示する模式図である。  
洗浄機器２００ｂは、浴槽５１０に洗浄水を吐水することで、浴槽５１０を洗浄する浴槽洗浄装置である。  
洗浄機器２００ｂは、流量検知装置６０４、水量制御装置６０５、電磁弁６０６、洗浄ノズル６０１、給水路６０８、排水栓駆動用モータ６２４など、を有する。
【０１０１】
洗浄ノズル６０１は、給水路６０８を介して、給水管５１と接続されている。これにより、給水管５１から、給水路６０８を通った水道水が洗浄ノズル６０１に供給される。
【０１０２】
給水路６０８には、上流側から順に、流量検知装置６０４、水量制御装置６０５、電磁弁６０６が設けられている。電磁弁６０６は、給水路６０８を開く動作、及び、給水路６０８を閉じる動作を行う。電磁弁６０６が開くことで、水道水が洗浄ノズル６０１に供給され、電磁弁６０６が閉じることで、洗浄ノズル６０１への給水が停止する。
【０１０３】
洗浄ノズル６０１は、浴槽５１０に設けられている。洗浄ノズル６０１の吐水口６０１ａは、例えば、浴槽５１０の内壁に露出している。洗浄ノズル６０１は、上流から供給された洗浄水（水道水）を、水圧によって吐水口６０１ａから浴槽５１０内へ吐水する。これにより、浴槽５１０内の汚れを、浴槽５１０の排水口５１２へ洗い流すことができる。洗浄ノズル６０１から吐水される洗浄水は、例えば霧状である。
【０１０４】
排水栓駆動用モータ６２４は、ワイヤーケーブル６２１を介して、スラストロック機構部６２３を作動させることができる。スラストロック機構部６２３が作動することで、排水栓６２２を上下に動かすことができ、排水口５１２を開閉することができる。なお、使用者は、浴槽５１０のリムなどに設けられた手動スイッチ６２０を操作することによっても、スラストロック機構部６２３を作動させ、排水口５１２を開閉することができる。
【０１０５】
流量検知装置６０４、水量制御装置６０５、電磁弁６０６、排水栓駆動用モータ６２４は、制御部３０と有線又は無線により接続されており、制御部３０によって適宜に制御される。すなわち、電磁弁６０６は、制御部３０からの信号に基づいて、給水路６０８の開閉を行う。これにより、洗浄ノズル６０１の吐水と止水とが切り替えられる。また、排水栓駆動用モータ６２４は、制御部３０からの信号に基づいて、排水口５１２の開閉を行う。
【０１０６】
洗浄機器２００ｂによる浴槽５１０の洗浄動作において、制御部３０は、まず、排水栓駆動用モータ６２４によって排水口５１２を開く。これにより、浴槽５１０内に残っている水（湯）が排水される。排水口５１２が開いてから所定時間が経過し、排水が行われた後に、制御部３０は、電磁弁６０６を開く。これにより、洗浄ノズル６０１から浴槽５１０内に洗浄水が吐水され、浴槽５１０内を洗浄することができる。
【０１０７】
なお、洗浄機器２００ｂは、水道水だけでなく、洗浄機器２００ａと同様の構成により機能水を吐水してもよい。また、洗浄機器２００ｂは、内部に洗剤タンクやポンプを有し、洗浄ノズル６０１から浴槽５１０内に洗剤を散布してもよい。
【０１０８】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴室システムが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１０９】
１０ａ ノズル部、  １２ 吐水口、  １７ 電動モータ、  ２０ 機能水生成部、  ３０ 制御部、  ３５ 操作部、  ３５ａ 第１換気スイッチ、  ３５ｂ 第２換気スイッチ、  ３５ｃ 掃除連動スイッチ、  ３５ｄ 浴槽洗浄スイッチ、  ３５ｅ 床洗浄スイッチ、  ５１ 給水管、  ５３ａ 第１ストレーナ、  ５３ｂ 第２ストレーナ、  ５４ａ 第１電磁弁、  ５４ｂ 第２電磁弁、  ５５ 調圧弁、  ５６ 逆止弁、  ５７ バキュームブレーカ、  １００ 浴室システム、  ２００、２００ａ、２００ｂ 洗浄機器、  ３００ 換気機器、  ３１１ 筐体、  ３１２ 吸込口、  ３１４ 吹出口、  ３１６ 風路、  ３１８ 加熱手段、  ３２２ ファン、  ３３２ 吸込口、  ３３４ 排出口、  ３３６ ダンパ、  ５００ 浴室、  ５１０ 浴槽、  ５１２ 排水口、  ５２０ 洗い場床、  ５２１ 排水口、  ５３０ カウンタ、  ５３１ 天板、  ５３２ 下カバー、  ５４１〜５４４ 第１〜第４壁、  ５４５ 天井、  ６０１ 洗浄ノズル、  ６０１ａ 吐水口、  ６０４ 流量検知装置、  ６０５ 水量制御装置、  ６０６ 電磁弁、  ６０８ 給水路、  ６２０ 手動スイッチ、  ６２１ ワイヤーケーブル、  ６２２ 排水栓、  ６２３ スラストロック機構部、  ６２４ 排水栓駆動用モータ
【図１】
2019158218.tif 000003
【図２】
2019158218.tif 000004
【図３】
2019158218.tif 000005
【図４】
2019158218.tif 000006
【図５】
2019158218.tif 000007
【図６】
2019158218.tif 000008
【図７】
2019158218.tif 000009
【図８】
2019158218.tif 000010
【図９】
2019158218.tif 000011
【図１０】
2019158218.tif 000012
【図１１】
2019158218.tif 000013
【図１２】
2019158218.tif 000014
【図１３】
2019158218.tif 000015
【図１４】
2019158218.tif 000016